(57)【要約】【課題】点検期間に達したり、以降点検がなされない場合であっても繰り返し外部に通信され、点検忘れ等を防止することができ、安全性を向上することができるガス遮断装置を提供すること。【解決手段】点検間隔カウント手段のカウント値が所定値に達すると外部に通信し、第２点検間隔カウント手段を動作させ、点検済情報出力手段からの出力があるまで第２点検間隔カウント手段のカウント値が第２所定値に達するたびに第２点検間隔カウント手段の初期化及び外部通信を繰り返す。【選択図】図１
2010175267.tif 000002
【特許請求の範囲】
【請求項１】
ガス供給管に接続されガスの供給や遮断を行う遮断手段と、前記遮断手段を制御する制御手段と、外部との通信が可能な外部通信手段と、点検間隔を自動でカウントする点検間隔カウント手段と、作業者の点検実施後の所定操作により点検済情報を出力する点検済情報出力手段とを備え、前記制御手段は、前記点検済情報出力手段からの出力により、前記点検間隔カウント手段のカウント値を初期化するとともに、前記点検済情報出力手段からの出力前に前記点検間隔カウント手段のカウント値が所定値に達すると、前記外部通信手段に出力して外部に通信することを特徴とするガス遮断装置。
【請求項２】
前記制御手段は、前記点検間隔カウント手段のカウント値が所定値に達すると、第２点検間隔カウント手段を初期化し、前記第２点検間隔カウント手段にカウント開始出力を行い、前記第２点検間隔カウント手段のカウント値が第２所定値に達するまでに前記点検済情報出力手段からの出力があると、前記点検間隔カウント手段のカウント値の初期化、及び前記第２点検間隔カウント手段のカウント値の初期化、前記第２点検間隔カウント手段にカウント停止出力を行うとともに、前記第２点検間隔カウント手段のカウント値が第２所定値に達すると、前記第２点検間隔カウント手段のカウント値の初期化及び前記外部通信手段に出力して外部に通信し、以降、前記点検済情報出力手段からの出力があるまで、前記第２点検間隔カウント手段のカウント値が第２所定値に達する度に前記第２点検間隔カウント手段のカウント値の初期化及び前記外部通信手段に出力して外部に通信することを特徴とする、請求項１に記載のガス遮断装置。
【請求項３】
前記制御手段は、前記点検間隔カウント手段のカウント値が所定値に達する前に、通信手段を備えた宅内表示装置との通信が可能な宅内通信手段に点検時期を出力して、宅内表示装置に通信することを特徴とする、請求項１または２に記載のガス遮断装置。
【請求項４】
前記制御手段は、前記点検間隔カウント手段のカウント値が所定値に達すると、前記宅内表示装置に事業者への連絡を促す表示を行うように前記宅内通信手段に出力することを特徴とする、請求項１から３のいずれか１項に記載のガス遮断装置。
【請求項５】
前記制御手段は、前記宅内表示装置での所定操作による出力が前記宅内通信手段に入力された場合に、少なくとも前記点検間隔カウント手段あるいは第２点検間隔カウント手段のカウント値を初期化し、前記外部通信手段に出力して外部に通信することを特徴とする、請求項１から４のいずれか１項に記載のガス遮断装置。
【請求項６】
請求項１から５のいずれか１項に記載のガス遮断装置の全てもしくは一部として、コンピュータを機能させるプログラム。
【発明の詳細な説明】
【技術分野】
【０００１】
本発明は、ガス供給設備やガス消費設備の定期的な点検の管理を行うガス遮断装置に関するものである。
【背景技術】
【０００２】
近年、ガス機器の経年劣化等による事故が増加し、また消費生活用製品安全法の改正により特定機器の点検が求められている。また、事業者においても供給設備の点検や機器の調査等の保安業務が重要視されている。
【０００３】
従来この種のガス遮断装置としては、図７に示すように、制御部１０がボンベ交換する際にボンベリセット手段１４からボンベ交換信号を受信すると、遮断弁１の閉及び開動作を行わせ、弁閉状態検出部５及び弁開状態検出部６からの出力により、そのいずれもが正常であることを検出して、検査終了信号が予め定められた所定の時間内に制御部１０に入力されるか否かにより遮断弁１の正常、異常を判定し、センターに通信などで通報することにより、自動的に点検作業を行うことができるようになっていた（例えば特許文献１参照）。
【特許文献１】特許第３７３３６４６号公報
【発明の開示】
【発明が解決しようとする課題】
【０００４】
しかしながら、前記従来の構成では、自動的に点検作業を行うことにより定期検査のために改めて係員を各家庭に派遣する必要性がなく、省力化が可能になるが、定期的な点検や調査がなされない可能性があるという課題があった。
【０００５】
本発明は、前記従来の課題を解決するもので、所定の点検時期になると外部に通信し、現場で初期化を行わないと繰り返し外部に通信する構成としたガス遮断装置を提供することを目的とする。
【課題を解決するための手段】
【０００６】
前記従来の課題を解決するために、本発明のガス遮断装置は、ガス供給管に接続され、ガスの供給や遮断を行う遮断手段と、遮断手段を制御する制御手段と、外部との通信が可能な外部通信手段と、点検間隔を自動でカウントする点検間隔カウント手段と、作業者の点検実施後の所定操作により点検済情報を出力する点検済情報出力手段とを備え、制御手段は、点検済情報出力手段からの出力前に点検間隔カウント手段が所定値に達すると、外部通信手段に出力して外部に通信するとともに第２点検間隔カウント手段を初期化し、第２点検間隔カウント手段が第２所定値に達すると、第２点検間隔カウント手段を初期化し、外部に通信し、以降、点検済情報出力手段からの出力があるまで、第２点検間隔カウント手段が第２所定値に達する度に第２点検間隔カウント手段の初期化及び外部通信する構成としたものである。
【発明の効果】
【０００７】
本発明のガス遮断装置によれば、定期的な点検を確実に実施することができ、たとえ実施されない場合でも、繰り返し外部通信され、点検忘れ等を防止することができ、安全性を向上することができる。
【発明を実施するための最良の形態】
【０００８】
第１の発明は、ガス供給管に接続され、ガスの供給や遮断を行う遮断手段と、遮断手段
を制御する制御手段と、外部との通信が可能な外部通信手段と、点検間隔を自動でカウントする点検間隔カウント手段と、作業者の点検実施後の所定操作により点検済情報を出力する点検済情報出力手段とを備え、制御手段は、点検済情報出力手段からの出力により、点検間隔カウント手段のカウント値を初期化するとともに、点検済情報出力手段からの出力前に点検間隔カウント手段のカウント値が所定値に達すると、外部通信手段に出力して外部に通信する構成にしたものである。これにより、定期的な点検を確実に実施することができ、安全性を向上することができる。
【０００９】
第２の発明は、特に、第１の発明の制御手段を、点検間隔カウント手段のカウント値が所定値に達すると、第２点検間隔カウント手段を初期化し、第２点検間隔カウント手段にカウント開始出力を行い、第２点検間隔カウント手段のカウント値が第２所定値に達するまでに点検済情報出力手段からの出力があると、点検間隔カウント手段のカウント値の初期化、及び第２点検間隔カウント手段のカウント値の初期化、第２点検間隔カウント手段にカウント出力を行うとともに、第２点検間隔カウント手段のカウント値が第２所定値に達すると、第２点検間隔カウント手段のカウント値の初期化及び外部通信手段に出力して外部に通信し、以降、点検済情報出力手段からの出力があるまで、第２点検間隔カウント手段のカウント値が第２所定値に達する度に第２点検間隔カウント手段のカウント値の初期化及び外部通信手段に出力して外部に通信する構成にしたものである。これにより、定期的な点検を確実に実施することができ、たとえ実施されない場合でも、繰り返し外部通信され、点検忘れ等を防止することができ、安全性を向上することができる。
【００１０】
第３の発明は、特に、第１の発明の制御手段を、点検間隔カウント手段のカウント値が所定値に達する前に、通信手段を備えた宅内表示装置との通信が可能な宅内通信手段に点検時期を出力して、宅内表示装置に通信する構成にしたものである。これにより、事業者による点検が近づいていることを顧客に知らせることで、顧客の保安意識を高めることができる。
【００１１】
第４の発明は、特に、第１の発明の制御手段を、点検間隔カウント手段のカウント値が所定値に達すると、宅内表示装置に事業者への連絡を促す表示を行うように宅内通信手段に出力する構成にしたものである。これにより、事業者による点検が必要なことを使用者に知らせることで、顧客の保安意識を高め、また点検がなされない場合も、事業者に連絡することで点検を実施することができ、安全性を向上することができる。
【００１２】
第５の発明は、特に、第１の発明の制御手段を、宅内表示装置での所定操作による出力が宅内通信手段に入力された場合に、少なくとも点検間隔カウント手段あるいは第２点検間隔カウント手段のカウント値を初期化し、外部通信手段に出力して外部に通信する構成にしたものである。これにより、事業者による点検が実施されたことを、顧客が確認したことで、確実に点検が実施された記録として残すことができ、また顧客の安心感を高めることができる。
【００１３】
第６の発明は、第１から第５のいずれか１つの発明に記載のガス遮断装置の全てもしくは一部として、コンピュータを機能させるプログラムである。そして、プログラムであるので汎用コンピュータやサーバーを用いて本発明のプログラムの少なくとも一部を容易に実現できる。また記録媒体に記録したり通信回線を用いてプログラムを配信したりすることでプログラムの配布やインストール作業が簡単にできる。
【００１４】
本発明は、第１の発明から第５の発明の要部を実施の形態とすることにより本発明の目的を達成できるので、各請求項に対応する実施の形態の詳細を、以下に図面を参照しながら説明し、本発明を実施するための最良の形態の説明とする。なお、本実施の形態によって本発明が限定されるものではない。また、各実施の形態の説明において、同一構成並び
に同一作用効果を奏するところには、同一符号を付して重複した説明を行わないものとする。
【００１５】
（実施の形態１）
図１は、本発明の実施の形態１におけるガス遮断装置のブロック図である。
【００１６】
図１において、２０はガス遮断装置であり、ガス供給管２１の途中に設けられ、その下流側の配管には各顧客宅内に設置された１台以上のガス器具が接続されている。
【００１７】
ガス遮断装置２０は、流量計測手段２、遮断手段２２、制御手段２３、点検済情報出力手段２４、外部通信手段２５、宅内通信手段２６、点検間隔カウント手段２７、第２点検間隔カウント手段２８を有して構成される。
【００１８】
流量計測手段２は、ガス供給管２１の経路中に接続され、ガス供給管２１内のガス流量を計測するものである。
【００１９】
遮断手段２２は、ガス供給管２１の経路中に接続され、制御手段２３からの指示に基づいてガス供給管２１を閉塞してガスの供給を遮断するものである。
【００２０】
制御手段２３は、ガス遮断装置２０内の各部の動作制御の他、各種警告や遮断などの保安処理等をおこなうものである。マイクロコンピュータおよびその周辺回路からなる制御手段２３は、所定の動作プログラムを実行して対応する処理をおこなうことにより、各機能が実現される。
【００２１】
外部通信手段２５は、有線または無線による通信機能を有し、例えば公衆回線を介して管理センター（図示せず）と接続される。この外部通信手段２５は、各種情報及びコマンドや信号を管理センターとの間で授受するものである。
【００２２】
管理センターは、コンピュータ等を有して構成され、管理部の機能を実現するもので、コンピュータ等を構成するプロセッサ及び動作プログラムを含み、プロセッサにおいて所定の動作プログラムを実行して対応する処理をおこなうことにより、各機能が実現される。
【００２３】
宅内通信手段２６は、宅内表示装置２９と各種情報通信し、宅内表示装置２９に各種表示を行うとともに、宅内表示装置２９で操作された情報を入力する。
【００２４】
点検間隔カウント手段２７は、所定の点検期間をカウントするものである。以上のように構成されたガス遮断装置について、以下点検期間到達時の処理に関して、その動作について説明する。
【００２５】
図２は本発明の実施の形態１におけるガス遮断装置の点検期間到達時の処理を示すフローチャートである。
【００２６】
図２において、制御手段２３はステップ（以下、Ｓと表示する）１で、点検済情報出力手段２４から点検済出力があったかどうか判定し、点検済出力がなければＳ３へ進む。Ｓ１で点検済出力があった場合は、点検間隔カウント手段２７の点検間隔カウンタを初期化する（Ｓ２）。Ｓ３では点検間隔カウント手段２７の点検間隔カウンタが所定値に達したかどうか判定し、所定値に達した場合は、外部通信手段２５に出力して外部に通信する（Ｓ４）。
【００２７】
以上のように、本実施の形態においては、所定の期間が経過するまでに点検がなされない場合には、外部に通信することにより、定期的な点検を確実に実施することができ、安全性を向上することができる。
【００２８】
（実施の形態２）
図３は、本発明の実施の形態２におけるガス遮断装置の点検期間到達以降の処理を示すフローチャートである。実施の形態１における図１に示す制御手段２３とプログラムのみが異なるだけで、ガス遮断装置のブロック図は図１と同一である。すなわち、制御手段２３は図３に示すＳ５からＳ１６の制御フローを実行するプログラムを格納したものである。
【００２９】
図３において、制御手段２３は、点検済情報出力手段２４から点検済出力があったかどうか判定し（Ｓ５）、点検済出力がなければＳ９へ進む。Ｓ５で点検済出力があった場合は、点検間隔カウント手段２７の点検間隔カウンタを初期化し（Ｓ６）、Ｓ７では第２点検間隔カウント手段２８の第２点検間隔カウンタを初期化し、第２点検間隔カウント手段２８のカウントを停止し（Ｓ８）、処理を抜ける。Ｓ９では、第２点検間隔カウント手段２８のカウントが停止しているかどうか判定し、カウントが停止している場合にはＳ１０へ進み、カウントが停止していない場合にはＳ１４へ進む。Ｓ１０では点検間隔カウント手段２７の点検間隔カウンタが所定値に達したかどうか判定し、所定値に達した場合は、第２点検間隔カウント手段２８の第２点検間隔カウンタを初期化し（Ｓ１１）、第２点検間隔カウント手段２８のカウントを開始し（Ｓ１２）、外部通信手段２５に出力して外部に通信する（Ｓ１３）。Ｓ１４では、第２点検間隔カウント手段２８の第２点検間隔カウンタが第２所定値に達したかどうか判定し、第２所定値に達した場合は、第２点検間隔カウント手段２８の第２点検間隔カウンタを初期化し（Ｓ１５）、外部通信手段２５に出力して外部に通信する（Ｓ１６）。
【００３０】
以上のように、本実施の形態においては、所定の期間が経過するまでに点検がなされない場合には、外部に通信することにより、定期的な点検を確実に実施することができ、たとえ実施されない場合でも、繰り返し外部通信され、点検忘れ等を防止することができ、安全性を向上することができる。
【００３１】
（実施の形態３）
図４は、本発明の実施の形態３におけるガス遮断装置の点検時期表示処理を示すフローチャートである。実施の形態１における図１に示す制御手段２３とプログラムのみが異なるだけで、ガス遮断装置のブロック図は図１と同一である。すなわち、制御手段２３は図４に示すＳ１７からＳ２２の制御フローを実行するプログラムを格納したものである。
【００３２】
図４において、制御手段２３は、点検済情報出力手段２４から点検済出力があったかどうか判定し（Ｓ１７）、点検済出力がなければＳ１９へ進む。Ｓ１７で点検済出力があった場合は、宅内通信手段２６に出力し、宅内表示装置２９の点検時期表示をクリアする（Ｓ１８）。Ｓ１９では宅内表示装置２９に点検時期が未表示かどうか判定し、点検時期未表示の場合は、点検間隔カウント手段２７の点検間隔カウンタが第３所定値に達したかどうか判定し（Ｓ２０）、第３所定値に達した場合は、点検間隔カウント手段２７の点検間隔カウンタ値と現在の日付情報から点検時期を算出し（Ｓ２１）、宅内表示装置２９に点検時期表示を行うように宅内通信手段２６に出力する（Ｓ２２）。
【００３３】
以上のように、本実施の形態においては、事業者による点検が近づいていることを顧客に知らせることで、顧客の保安意識を高めることができる。
【００３４】
（実施の形態４）
図５は、本発明の実施の形態４におけるガス遮断装置の事業者連絡表示処理を示すフローチャートである。実施の形態１における図１に示す制御手段２３とプログラムのみが異なるだけで、ガス遮断装置のブロック図は図１と同一である。すなわち、制御手段２３は図５に示すＳ２３からＳ３０の制御フローを実行するプログラムを格納したものである。
【００３５】
図５において、制御手段２３は、点検済情報出力手段２４から点検済出力があったかどうか判定し（Ｓ２３）、点検済出力がなければＳ２５へ進む。Ｓ２３で点検済出力があった場合は、宅内通信手段２６に出力し、宅内表示装置２９の点検時期表示または事業者連絡表示をクリアする（Ｓ２４）。Ｓ２５では宅内表示装置２９に点検時期が未表示かどうか判定し、点検時期未表示の場合はＳ２６へ進み、点検時期表示の場合はＳ２９へ進む。Ｓ２６では、点検間隔カウント手段２７の点検間隔カウンタが第３所定値に達したかどうか判定し、第３所定値に達した場合は、点検間隔カウント手段２７の点検間隔カウンタ値と現在の日付情報から点検時期を算出し（Ｓ２７）、宅内表示装置２９に点検時期表示を行うように宅内通信手段２６に出力する（Ｓ２８）。Ｓ２９では、点検間隔カウント手段２７の点検間隔カウンタが所定値に達したかどうか判定し、所定値に達した場合は、宅内表示装置２９に事業者連絡表示を行うように宅内通信手段２６に出力する（Ｓ３０）。
【００３６】
以上のように、本実施の形態においては、事業者による点検が必要なことを使用者に知らせることで、顧客の保安意識を高め、また点検がなされない場合も、事業者に連絡することで点検を実施することができ、安全性を向上することができる。
【００３７】
（実施の形態５）
図６は、本発明の実施の形態５におけるガス遮断装置の点検間隔カウンタの宅内初期化処理を示すフローチャートである。実施の形態１における図１に示す制御手段２３とプログラムのみが異なるだけで、ガス遮断装置のブロック図は図１と同一である。すなわち、制御手段２３は図６に示すＳ３１からＳ３５の制御フローを実行するプログラムを格納したものである。
【００３８】
図６において、制御手段２３は、宅内表示装置２９からの初期化出力があったかどうか判定し（Ｓ３１）、初期化出力があった場合は、Ｓ３２で点検間隔カウント手段２７の点検間隔カウンタを初期化し、Ｓ３３で第２点検間隔カウント手段２８の第２点検間隔カウンタを初期化し、Ｓ３４で第２点検間隔カウント手段２８のカウントを停止し、外部通信手段２５に出力して外部に通信する（Ｓ３５）。
【００３９】
以上のように、本実施の形態においては、事業者による点検が実施されたことを、顧客が確認したことで、確実に点検が実施された記録として残すことができ、また顧客の安心感を高めることができる。
【００４０】
なお、上記各実施の形態においては制御手段に格納してあるプログラムでマイクロコンピュータを機能させて制御フローを実行しているが、プログラムに代えハードを以って実行することも可能である。
【産業上の利用可能性】
【００４１】
以上のように、本発明にかかるガス遮断装置は、点検時期に達すると外部通信することにより点検を確実に実施することができ、また、未実施の場合でも、繰り返し外部通信し点検忘れを防止することができることから、電気機器等に対しても適用できる。
【図面の簡単な説明】
【００４２】
【図１】本発明の実施の形態１〜５におけるガス遮断装置のブロック図
【図２】本発明の実施の形態１におけるガス遮断装置の点検期間到達時の処理を示すフローチャート
【図３】本発明の実施の形態２におけるガス遮断装置の点検期間到達以降の処理を示すフローチャート
【図４】本発明の実施の形態３におけるガス遮断装置の点検時期表示処理を示すフローチャート
【図５】本発明の実施の形態４におけるガス遮断装置の事業者連絡表示処理を示すフローチャート
【図６】本発明の実施の形態５におけるガス遮断装置の点検間隔カウンタの宅内初期化処理を示すフローチャート
【図７】従来のガス遮断装置のブロック図
【符号の説明】
【００４３】
２  流量計測手段
２０  ガス遮断装置
２１  ガス供給管
２２  遮断手段
２３  制御手段
２４  点検済情報出力手段
２５  外部通信手段
２６  宅内通信手段
２７  点検間隔カウント手段
２８  第２点検間隔カウント手段
２９  宅内表示装置
【図１】
2010175267.tif 000003
【図２】
2010175267.tif 000004
【図３】
2010175267.tif 000005
【図４】
2010175267.tif 000006
【図５】
2010175267.tif 000007
【図６】
2010175267.tif 000008
【図７】
2010175267.tif 000009